【手続補正書】
【提出日】平成26年7月31日(2014.7.31)
【手続補正１】
【補正対象書類名】特許請求の範囲
【補正対象項目名】全文
【補正方法】変更
【補正の内容】
【特許請求の範囲】
【請求項１】
マイクログリッドを構成するための方法であって、
一組のマイクログリッド要素を有するマイクログリッドの第１構成を初期化することと、
一組のマイクログリッド要素中の各要素に対するアドレスを検証することと、
マイクログリッドの再構成を示すピアツーピアネットワークにおいて接続されている一組のマイクログリッド要素からのステータスデータの受信に応答して、一組のマイクログリッド要素を再編成して、第２グリッド構成を形成することと、
第２グリッド構成を実行することと、
を含む方法。
【請求項２】
一組のマイクログリッド要素が、分散型エネルギー資源に関連付けられているセンサ、分散型エネルギー資源に関連付けられているコントローラ、プロセッサ、ルーターおよび管理イーサネットスイッチのうちの少なくとも１つを含む、請求項１に記載の方法。
【請求項３】
マスタープロセッサが故障したことを示すステータスデータに応答して、機能的なスレーブプロセッサを再構成されたマスタープロセッサとして再指定すること
をさらに含む請求項１に記載の方法。
【請求項４】
一組のマイクログリッド要素内のコントローラ要素により生成されたステータスデータをマイクログリッド上の一組の分散型エネルギー資源プロセッサへピアツーピアネットワークを用いて送信することと、
分散型エネルギークラスタープロセッサにより生成されたステータスデータを一組の分散型エネルギー資源におけるすべてのプロセッサへ送信することと、
をさらに含む請求項１に記載の方法。
【請求項５】
ピアツーピアネットワークが、マイクログリッドローカルエリアネットワーク内のネットワークであり、かつ、ピアツーピアネットワークが、一組のマイクログリッド要素における各コントローラ要素に接続しているピアツーピアコントローラネットワークをさらに含み、かつ、
前記方法が、マイクログリッド上の第１コントローラ要素により生成されたステータスデータを一組のマイクログリッド要素における第２コントローラ要素へコントローラネットワークを用いて送信すること
をさらに含む請求項１に記載の方法。
【請求項６】
ピアツーピアネットワークが、マイクログリッドローカルエリアネットワーク内のネットワークであり、かつ、ピアツーピアネットワークが、マイクログリッドローカルエリアネットワーク内のピアツーピアネットワークの一組のクラスタープロセッサにおける各分散型エネルギー資源プロセッサを接続しているプロセッサネットワークをさらに含み、かつ、
前記方法が、マイクログリッド上の第１クラスタープロセッサにより生成されたステータスデータを一組のクラスタープロセッサにおける第２クラスタープロセッサへプロセッサネットワークを用いて送信することをさらに含み、ステータスデータが、一組のマイクログリッド要素におけるある要素の健全性の状態と分散型エネルギー資源に関連付けられた負荷の測定値とのうちの少なくとも一方を含む請求項１に記載の方法。
【請求項７】
マイクログリッドを管理するための方法であって、
マイクログリッドのマイクログリッドローカルエリアネットワーク内の一組のマイクログリッドコントローラ要素を接続しているピアツーピアコントローラネットワークにおいて接続されている一組のマイクログリッドコントローラ要素からステータスデータを受信することと、
閾値レベルを超えるマイクログリッドの変化を示すステータスデータに応答して、一組のマイクログリッドコントローラ要素および一組のマイクログリッドコントローラ要素に関連付けられている一組のタスクを再編成して、再編成されたマイクログリッド構成を形成することと、
再編成されたマイクログリッド構成を実行することと、
を含む方法。
【請求項８】
マイクログリッドローカルエリアネットワーク内のピアツーピアプロセッサネットワークにおいて接続されている一組の分散型エネルギー資源クラスタープロセッサからステータスデータを受信すること
をさらに含む請求項７に記載の方法。
【請求項９】
マイクログリッド上の第１コントローラ要素により生成されたステータスデータを一組のマイクログリッドコントローラ要素における第２コントローラ要素へ送信することと、
マイクログリッド上のコントローラ要素により生成されたステータスデータをマイクログリッド上の一組の分散型エネルギー資源クラスタープロセッサにおけるすべてのプロセッサへピアツーピアプロセッサネットワークを用いて送信することと、
をさらに含む請求項７に記載の方法。
【請求項１０】
一組のマイクログリッド要素を有するマイクログリッドと、
マイクログリッドの第１構成を初期化し、一組のマイクログリッド要素中の各要素に対するアドレスを検証し、マイクログリッドの再構成を示すピアツーピアネットワークにおいて接続されている一組のマイクログリッド要素からのステータスデータの受信に応答して、一組のマイクログリッド要素を再編成して、第２グリッド構成を形成し、第２グリッド構成を実行するよう構成されているマイクログリッドに関連付けられているマイクログリッドコントローラと、
を含む装置。
【手続補正２】
【補正対象書類名】明細書
【補正対象項目名】０１５６
【補正方法】変更
【補正の内容】
【０１５６】
追加の実施形態は、
一組のマイクログリッド要素内のコントローラ要素により生成されたステータスデータをマイクログリッド上の一組の分散型エネルギー資源プロセッサへピアツーピアローカルエリアネットワークを用いて送信するための、コンピュータ記録可能な記憶媒体上に保存されているプログラムコードと、分散型エネルギークラスタープロセッサにより生成されたステータスデータを一組の分散型エネルギー資源におけるすべてのプロセッサへ送信するための、コンピュータ記録可能な記憶媒体上に保存されているプログラムコードと、
をさらに含む、コンピュータプログラム製品を含んでいてもよい。
さらに、本願は以下に記載する態様を含む。
（態様１）
マイクログリッドを構成するための方法であって、
一組のマイクログリッド要素を有するマイクログリッドの第１構成を初期化することと、
一組のマイクログリッド要素中の各要素に対するアドレスを検証することと、
マイクログリッドの再構成を示すピアツーピアネットワークにおいて接続されている一組のマイクログリッド要素からのステータスデータの受信に応答して、一組のマイクログリッド要素を再編成して、第２グリッド構成を形成することと、
第２グリッド構成を実行することと、
を含む方法。
（態様２）
一組のマイクログリッド要素が、分散型エネルギー資源に関連付けられているセンサ、分散型エネルギー資源に関連付けられているコントローラ、プロセッサ、ルーターおよび管理イーサネットスイッチのうちの少なくとも１つを含む、態様１に記載の方法。
（態様３）
マスタープロセッサが故障したことを示すステータスデータに応答して、機能的なスレーブプロセッサを再構成されたマスタープロセッサとして再指定すること
をさらに含む態様１に記載の方法。
（態様４）
第１構成のライブテストを行うことをさらに含み、ライブテストが、一組のマイクログリッド要素中の各要素にピングを送ることを含む
態様１に記載の方法。
（態様５）
一組のマイクログリッド要素内のコントローラ要素により生成されたステータスデータをマイクログリッド上の一組の分散型エネルギー資源プロセッサへピアツーピアネットワークを用いて送信することと、
分散型エネルギークラスタープロセッサにより生成されたステータスデータを一組の分散型エネルギー資源におけるすべてのプロセッサへ送信することと、
をさらに含む態様１に記載の方法。
（態様６）
ピアツーピアネットワークが、マイクログリッドローカルエリアネットワーク内のネットワークであり、かつ、ピアツーピアネットワークが、一組のマイクログリッド要素における各コントローラ要素に接続しているピアツーピアコントローラネットワークをさらに含み、かつ、
前記方法が、マイクログリッド上の第１コントローラ要素により生成されたステータスデータを一組のマイクログリッド要素における第２コントローラ要素へコントローラネットワークを用いて送信すること
をさらに含む態様１に記載の方法。
（態様７）
ピアツーピアネットワークが、マイクログリッドローカルエリアネットワーク内のネットワークであり、かつ、ピアツーピアネットワークが、マイクログリッドローカルエリアネットワーク内のピアツーピアネットワークの一組のクラスタープロセッサにおける各分散型エネルギー資源プロセッサを接続しているプロセッサネットワークをさらに含み、かつ、
前記方法が、マイクログリッド上の第１クラスタープロセッサにより生成されたステータスデータを一組のクラスタープロセッサにおける第２クラスタープロセッサへプロセッサネットワークを用いて送信することをさらに含み、ステータスデータが、一組のマイクログリッド要素におけるある要素の健全性の状態と分散型エネルギー資源に関連付けられた負荷の測定値とのうちの少なくとも一方を含む態様１に記載の方法。
（態様８）
単一の共通冗長ネットワークポートを介してのみインターネット接続を用いる遠隔クライアントがマイクログリッドローカルエリアネットワークにアクセスすることを許可することであって、一組のサイバーセキュリティ方法およびツールが単一の共通冗長ネットワークポート上で実施される、許可することと、
遠隔クライアントがマイクログリッドに関連付けられているステータスデータおよび負荷データにアクセスすることを許可することと、
マイクログリッドに関連付けられている制御機能に対する遠隔クライアントのアクセスを拒否することと、
をさらに含む態様１に記載の方法。
（態様９）
一組のマイクログリッド要素に関連付けられている平均負荷および共通負荷を識別すること
をさらに含む態様１に記載の方法。
（態様１０）
マイクログリッドを管理するための方法であって、
マイクログリッドのマイクログリッドローカルエリアネットワーク内の一組のマイクログリッドコントローラ要素を接続しているピアツーピアコントローラネットワークにおいて接続されている一組のマイクログリッドコントローラ要素からステータスデータを受信することと、
閾値レベルを超えるマイクログリッドの変化を示すステータスデータに応答して、一組のマイクログリッドコントローラ要素および一組のマイクログリッドコントローラ要素に関連付けられている一組のタスクを再編成して、再編成されたマイクログリッド構成を形成することと、
再編成されたマイクログリッド構成を実行することと、
を含む方法。
（態様１１）
マイクログリッドローカルエリアネットワーク内のピアツーピアプロセッサネットワークにおいて接続されている一組の分散型エネルギー資源クラスタープロセッサからステータスデータを受信すること
をさらに含む態様１０に記載の方法。
（態様１２）
マイクログリッド上の第１コントローラ要素により生成されたステータスデータを一組のマイクログリッドコントローラ要素における第２コントローラ要素へ送信することと、
マイクログリッド上のコントローラ要素により生成されたステータスデータをマイクログリッド上の一組の分散型エネルギー資源クラスタープロセッサにおけるすべてのプロセッサへピアツーピアプロセッサネットワークを用いて送信することと、
をさらに含む態様１０に記載の方法。
（態様１３）
マイクログリッド上の第１分散型エネルギークラスタープロセッサにより生成されたプロセッサステータスデータを一組のマイクログリッドコントローラ要素中の各コントローラ要素へ送信することと、
分散型エネルギークラスタープロセッサにより生成されたプロセッサステータスデータをマイクログリッド上の一組の分散型エネルギー資源クラスタープロセッサにおける第２プロセッサへピアツーピアプロセッサネットワークを用いて送信することと、
をさらに含む態様１０に記載の方法。
（態様１４）
一組のコントローラ要素における第１コントローラ要素の故障を示すステータスデータに応答して、一組のコントローラ要素において第１コントローラ要素の機能を第２コントローラ要素に割り当てること
をさらに含む態様１０に記載の方法。
（態様１５）
所与の管理イーサネットスイッチが、一組のコントローラ要素における単一のコントローラ要素に接続されている、態様１０に記載の方法。
（態様１６）
一組のマイクログリッド要素を有するマイクログリッドと、
マイクログリッドの第１構成を初期化し、一組のマイクログリッド要素中の各要素に対するアドレスを検証し、マイクログリッドの再構成を示すピアツーピアネットワークにおいて接続されている一組のマイクログリッド要素からのステータスデータの受信に応答して、一組のマイクログリッド要素を再編成して、第２グリッド構成を形成し、第２グリッド構成を実行するよう構成されているマイクログリッドに関連付けられているマイクログリッドコントローラと、
を含む装置。
（態様１７）
マイクログリッド内の分散型エネルギー資源クラスターにおけるあるプロセッサに接続されている２つ一組のルーター
をさらに含む態様１６に記載の装置。
（態様１８）
一組の要素が、分散型エネルギー資源に関連付けられているセンサ、分散型エネルギー資源に関連付けられているコントローラ、プロセッサ、ルーターおよび管理イーサネットスイッチのうちの少なくとも１つを含む、態様１６に記載の装置。
（態様１９）
ピアツーピアネットワークが、ローカルエリアネットワーク内のネットワークであり、かつ、ピアツーピアネットワークが、
一組のマイクログリッド要素内のコントローラ要素により生成されたステータスデータをマイクログリッド上の一組の分散型エネルギー資源プロセッサへピアツーピアローカルエリアネットワークを用いて送信するピアツーピア冗長リングコントローラネットワークと、
分散型エネルギークラスタープロセッサにより生成されたステータスデータを一組の分散型エネルギー資源におけるすべてのプロセッサへ送信するピアツーピアプロセッサネットワークと、
をさらに含む、態様１６に記載の装置。
（態様２０）
マイクログリッドを構成するためのコンピュータプログラム製品であって、
コンピュータ記録可能な記憶媒体と、
一組のマイクログリッド要素を有するマイクログリッドの第１構成を初期化するための、コンピュータ記録可能な記憶媒体上に保存されているプログラムコードと、
一組のマイクログリッド要素中の各要素に対するアドレスを検証するための、コンピュータ記録可能な記憶媒体上に保存されているプログラムコードと、
マイクログリッドの再構成を示すピアツーピアネットワークにおいて接続されている一組のマイクログリッド要素からのステータスデータの受信に応答して、一組のマイクログリッド要素を再編成して、第２グリッド構成を形成するための、コンピュータ記録可能な記憶媒体上に保存されているプログラムコードと、第２グリッド構成を実行するための、コンピュータ記録可能な記憶媒体上に保存されているプログラムコードと
を含むコンピュータプログラム製品。
なお、イーサネットは登録商標である。